(57)【要約】【課題】ヘッドホン単独で使用する際に便利なヘッドマウントディスプレイ装置を提供すること。【解決手段】ユーザの眼前で画像を表示する表示部１７０を有するディスプレイ装置１８０と、一対のスピーカ１１２Ａ、１１２Ｂ及びこれらの一対のスピーカ１１２Ａ、１１２Ｂを連結する頭部装着部１１１を有するヘッドホン３１０と、を着脱自在に連結する。【選択図】  図１
2007266870.tif 000002
【特許請求の範囲】
【請求項１】
画像を表示する表示部を有するディスプレイ装置と、一対のスピーカ及び該一対のスピーカを連結する頭部装着部を有するヘッドホンと、を備えるヘッドマウントディスプレイ装置であって、
前記ディスプレイ装置と前記ヘッドホンとは、着脱自在にされていることを特徴とするヘッドマウントディスプレイ装置。
【請求項２】
請求項１に記載のヘッドマウントディスプレイ装置であって、
前記ディスプレイ装置は、前記スピーカの筐体に対して着脱自在にされていること、
を特徴とするヘッドマウントディスプレイ装置。
【請求項３】
請求項１に記載のヘッドマウントディスプレイ装置であって、
前記ディスプレイ装置は、前記頭部装着部に対して着脱自在にされていること、
を特徴とするヘッドマウントディスプレイ装置。
【請求項４】
請求項１乃至３の何れか一項に記載のヘッドマウントディスプレイ装置であって、
前記ディスプレイ装置は、前記表示部に表示する画像の信号を供給する回路を備えていること、
を特徴とするヘッドマウントディスプレイ装置。
【請求項５】
請求項１乃至４の何れか一項に記載のヘッドマウントディスプレイ装置であって、
前記ディスプレイ装置及び前記ヘッドホンは、それぞれ電気接続部を有しており、
前記ディスプレイ装置と前記ヘッドホンとを取り付けた際に、前記電気接続部を介して、相互に電気的な接続を行うこと、
を特徴とするヘッドマウントディスプレイ装置。
【請求項６】
請求項５に記載のヘッドマウントディスプレイ装置であって、
前記ヘッドホンは、少なくとも画像信号及び音声信号を受ける外部接続部を備えており、
前記電気接続部は、前記外部接続部で受けた少なくとも画像信号の接続を行うものであること、
を特徴とするヘッドマウントディスプレイ装置。
【請求項７】
請求項５に記載のヘッドマウントディスプレイ装置であって、
前記ディスプレイ装置は、少なくとも画像信号及び音声信号を受ける外部接続部を備えており、
前記電気接続部は、前記外部接続部で受けた少なくとも音声信号の接続を行うものであること、
を特徴とするヘッドマウントディスプレイ装置。
【請求項８】
請求項１乃至４の何れか一項に記載のヘッドマウントディスプレイ装置であって、
前記ヘッドホンは、少なくとも音声信号を受ける外部接続部を有し、
前記ディスプレイ装置は、少なくとも画像信号を受ける外部接続部を有すること、
を特徴とするヘッドマウントディスプレイ装置。
【請求項９】
請求項１乃至８の何れか一項に記載のヘッドマウントディスプレイ装置であって、
前記ディスプレイ装置は、前記ヘッドホンと着脱自在に連結する連結部と、該連結部に対して回動自在に連結された支持部と、該支持部に一端が連結され、他端に前記表示部が連結されたアーム部と、
を備えていることを特徴とするヘッドマウントディスプレイ装置。
【請求項１０】
請求項９に記載のヘッドマウントディスプレイ装置であって、
前記頭部装着部には、少なくとも前記表示部を収納することができる収納部が設けられていることを特徴とするヘッドマウントディスプレイ装置。
【請求項１１】
請求項１０に記載のヘッドマウントディスプレイ装置であって、
前記収納部は、前記連結部を介して前記ディスプレイ装置と前記ヘッドホンとを固定的に連結した際に、前記支持部を回動させることにより前記頭部装着部と前記表示部とが対向する位置において、前記表示部を収納するものであること、
を特徴とするヘッドマウントディスプレイ装置。
【発明の詳細な説明】
【技術分野】
【０００１】
本発明は、ヘッドマウントディスプレイ装置に関する。
【背景技術】
【０００２】
ユーザの眼前で画像を表示する装置として、ヘッドマウントディスプレイ装置が従来から使用されている。
【０００３】
従来のヘッドマウントディスプレイ装置は、画像を表示する表示部を先端に連結したディスプレイ部と、一対のスピーカを備えるヘッドホンと、を備えている（例えば、特許文献１参照）。
【０００４】
【特許文献１】特開２００４−８０６７９号公報
【発明の開示】
【発明が解決しようとする課題】
【０００５】
しかしながら、従来のヘッドマウントディスプレイ装置では、ディスプレイ部と、ヘッドホンと、が固定的に連結されており、これらを分離することができないため、ヘッドホンだけを用いて音声のみを聴きたいような場合に不便であった。
【０００６】
本発明は、このような従来技術の問題点に着目してなされたもので、ヘッドホン単独で使用する際に便利なヘッドマウントディスプレイ装置を提供することを目的とする。
【課題を解決するための手段】
【０００７】
前記課題を解決するための請求項１に係る発明のヘッドマウントディスプレイ装置は、画像を表示する表示部を有するディスプレイ装置と、一対のスピーカ及び該一対のスピーカを連結する頭部装着部を有するヘッドホンと、を備えるヘッドマウントディスプレイ装置であって、前記ディスプレイ装置と前記ヘッドホンとは、着脱自在にされていることを特徴とする。
【０００８】
請求項２に係るヘッドマウントディスプレイ装置は、請求項１に記載のヘッドマウントディスプレイ装置であって、前記ディスプレイ装置は、前記スピーカの筐体に対して着脱自在にされていること、を特徴とする。
【０００９】
請求項３に係るヘッドマウントディスプレイ装置は、請求項１に記載のヘッドマウントディスプレイ装置であって、前記ディスプレイ装置は、前記頭部装着部に対して着脱自在にされていること、を特徴とする。
【００１０】
請求項４に係るヘッドマウントディスプレイ装置は、請求項１乃至３の何れか一項に記載のヘッドマウントディスプレイ装置であって、前記ディスプレイ装置は、前記表示部に表示する画像の信号を供給する回路を備えていること、を特徴とする。
【００１１】
請求項５に係るヘッドマウントディスプレイ装置は、請求項１乃至４の何れか一項に記載のヘッドマウントディスプレイ装置であって、前記ディスプレイ装置及び前記ヘッドホンは、それぞれ電気接続部を有しており、前記ディスプレイ装置と前記ヘッドホンとを取り付けた際に、前記電気接続部を介して、相互に電気的な接続を行うこと、を特徴とする。
【００１２】
請求項６に係るヘッドマウントディスプレイ装置は、請求項５に記載のヘッドマウントディスプレイ装置であって、前記ヘッドホンは、少なくとも画像信号及び音声信号を受ける外部接続部を備えており、前記電気接続部は、前記外部接続部で受けた少なくとも画像信号の接続を行うものであること、を特徴とする。
【００１３】
請求項７に係るヘッドマウントディスプレイ装置は、請求項５に記載のヘッドマウントディスプレイ装置であって、前記ディスプレイ装置は、少なくとも画像信号及び音声信号を受ける外部接続部を備えており、前記電気接続部は、前記外部接続部で受けた少なくとも音声信号の接続を行うものであること、を特徴とする。
【００１４】
請求項８に係るヘッドマウントディスプレイ装置は、請求項１乃至４の何れか一項に記載のヘッドマウントディスプレイ装置であって、前記ヘッドホンは、少なくとも音声信号を受ける外部接続部を有し、前記ディスプレイ装置は、少なくとも画像信号を受ける外部接続部を有すること、を特徴とする。
【００１５】
請求項９に係るヘッドマウントディスプレイ装置は、請求項１乃至８の何れか一項に記載のヘッドマウントディスプレイ装置であって、前記ディスプレイ装置は、前記ヘッドホンと着脱自在に連結する連結部と、該連結部に対して回動自在に連結された支持部と、該支持部に一端が連結され、他端に前記表示部が連結されたアーム部と、を備えていることを特徴とする。
【００１６】
請求項１０に係るヘッドマウントディスプレイ装置は、請求項９に記載のヘッドマウントディスプレイ装置であって、前記頭部装着部には、少なくとも前記表示部を収納することができる収納部が設けられていることを特徴とする。
【００１７】
請求項１１に係るヘッドマウントディスプレイ装置は、請求項１０に記載のヘッドマウントディスプレイ装置であって、前記収納部は、前記連結部を介して前記ディスプレイ装置と前記ヘッドホンとを固定的に連結した際に、前記支持部を回動させることにより前記頭部装着部と前記表示部とが対向する位置において、前記表示部を収納するものであること、を特徴とする。
【発明の効果】
【００１８】
本発明によれば、ユーザの眼前で画像表示する表示部を有するディスプレイ装置と、一対のスピーカ及び該一対のスピーカを連結する頭部装着部を有するヘッドホンと、を着脱自在にしているため、ヘッドホン単独で使用する際に便利なヘッドマウントディスプレイ装置を提供することができる。
【発明を実施するための最良の形態】
【００１９】
図１は、本発明の第一の実施形態であるヘッドマウントディスプレイ装置１００の斜視図である。
【００２０】
図示するようにヘッドマウントディスプレイ装置１００は、頭部装着部１１１、スピーカ１１２Ａ、１１２Ｂ、および、第一の電気接続部１１３（図３参照）、を有するヘッドホン１１０と、連結部１２０、第二の電気接続部１３０（図３参照）、表示回路部１４０、支持部１５０、アーム部１６０、および、表示部１７０、を有するディスプレイ装置１８０と、コントローラ１９０と、を備えている。
【００２１】
図示するように、本実施形態における頭部装着部１１１は、棒状の第一の部材１１１Ａ及び第二の部材１１１Ｂをほぼ平行となるように長手方向に並べて配置することにより形成されており、ユーザの頭部の形状に沿って、その長手方向において湾曲した形状に形成されている。
【００２２】
ここで、本実施形態においては、頭部装着部１１１の長手方向の両端には、スピーカ１１２Ａ、１１２Ｂが設けられている。
【００２３】
そして、本実施形態における頭部装着部１１１は、所定の弾性を有する材質で形成し、頭部装着部１１１の長手方向における両端に形成されているスピーカ１１２Ａ、１１２Ｂの間隔をユーザの頭部の幅よりも小さくすることにより、ユーザの頭部に装着した際に、頭部装着部１１１の両端に設けられているスピーカ１１２Ａ、１１２Ｂがユーザの頭部の内側の方向に付勢されて、ヘッドマウントディスプレイ装置１００をユーザの頭部に固定的に装着することができるようにしている。
【００２４】
また、本実施形態における頭部装着部１１１には、図２（ヘッドホン１１０、ディスプレイ装置１８０及びコントローラ１９０の概略図）に示されているように、コントローラ１９０からスピーカ１１２Ａ、１１２Ｂに音声信号を供給する音声信号線Ｓ２が備えられている。
【００２５】
スピーカ１１２Ａ、１１２Ｂは、ユーザの両方の耳にあてがわれて使用されるいわゆるヘッドホン用のスピーカであり、従来から使用されているものを使用すればよいため、説明を省略する。
【００２６】
ここで、本実施形態においては、図１の向かって右側のスピーカ１１２Ａにディスプレイ装置１８０が着脱自在に連結されている。
【００２７】
具体的には、図３（図１のＸ−Ｘ’線における縦断面図）に示されているように、スピーカ１１２Ａの筐体１１４の側周面に形成されている第一の凹部１１５に、連結部１２０に形成されている凸部１２１を嵌め込むとともに、この第一の凹部１１５から凸部１２１が外れないように、凸部１２１延びる方向の反対側から、連結部１２０に形成されているフック１２２を筐体１１４の側周面に形成されている第二の凹部１１６に引っかけるようにしている。
【００２８】
フック１２２は、軸部材１２３を介して連結部１２０に回動自在に連結されており、一端側に設けられた鉤部１２４が筐体１１４の内側方向に付勢されるように、その他端側が弾性部材１２５（本実施形態では巻きバネ）により筐体１１４の外側方向に付勢されている。
【００２９】
従って、第一の凹部１１５に凸部１２１を嵌め込んだ状態で、フック１２２の鉤部１２４を第二の凹部１１６に引っかけることにより、スピーカ１１２Ａに連結部１２０を固定し、ヘッドホン１１０とディスプレイ装置１８０とを固定的に連結することができる。
【００３０】
一方、弾性部材１２５の付勢力に抗して鉤部１２４を第二の凹部１１６から外すことにより、第一の凹部１１５から凸部１２１を外すことができ、連結部１２０をスピーカ１１２Ａから取り外し、ヘッドホン１１０とディスプレイ装置１８０とを分離することができる。
【００３１】
また、ヘッドホン１１０には、第一の電気接続部１１３が設けられており、スピーカ１１２Ａの筐体１１４に連結部１２０を取り付けた際に、連結部１２０に形成されている第二の電気接続部１３０が第一の電気接続部１１３と接して、少なくとも電力と、画像信号と、制御信号と、を供給することができるように電気的に接続される。
【００３２】
さらに、ヘッドホン１１０には、後述するコントローラ１９０からの電力と、画像信号と、制御信号と、音声信号と、を送受信するためのケーブル１９１を接続するコネクタ１１７が形成されている（図２参照）。
【００３３】
表示回路部１４０は、連結部１２０と連続して形成されている。ここで、表示回路部１４０には、図２に示されているように、表示デバイス１７１に画像信号を送る表示処理部１４１と、表示処理部１４１及び表示デバイス１７１に電力を供給する電源回路１４２と、表示部１７０の位置を検出するためのセンサ１４３と、が設けられている。
【００３４】
表示回路部１４０は、後述するコントローラ１９０と、電力線Ｐ２、画像信号線Ｉ２及び制御信号線Ｃ２で接続されており、電力線Ｐ２から供給される電力は電源回路１４２に、画像信号線Ｉ２から供給される画像信号及び制御信号線Ｃ２から供給される制御信号は表示処理部１４１にそれぞれ送られる。
【００３５】
本実施形態におけるセンサ１４３は、後述するアーム部１６０に取り付けられている磁石１６１の磁力の強さを検出する。そして、センサ１４３での検出結果は、制御信号線Ｃ２及び制御信号線Ｃ１を介して後述するコントローラ１９０の制御部１９７に出力される。この制御部１９７では、センサ１４３での検出結果に基づいて、アーム部１６０の先端に取り付けられている表示部１７０の回動軌道上の位置を特定する。
【００３６】
そして、センサ１４３での検出信号が入力された制御部１９７では、センサ１４３で検出する磁力の強さが所定の閾値を超えて強くなった場合、すなわち、アーム部１６０がセンサ１４３に対して所定の範囲内に入った場合には、表示処理部１４１に対して制御信号線Ｃ２及び制御信号線Ｃ１を介して、電源回路１４２から表示部１７０への電力の供給を停止するよう指示を出す。
【００３７】
このような指示を受けた表示処理部１４１は、電源回路１４２に表示部１７０への電力の供給を停止する指示を出す処理を行い、このような指示を受けた電源回路１４２は、電源回路１４２に設けられているスイッチ（図示せず）を介して、表示部１７０への電力の供給を停止する。
【００３８】
一方、制御部１９７では、センサ１４３で検出する磁力の強さが所定の閾値を超えて弱くなった場合、すなわち、アーム部１６０がセンサ１４３に対して所定の範囲内から出た場合には、表示処理部１４１に対して、表示部１７０への電力を供給するよう指示を出す。
【００３９】
このような指示を受けた表示処理部１４１は、電源回路１４２に表示部１７０への電力の供給を行う指示を出す処理を行い、このような指示を受けた電源回路１４２は、電源回路１４２に設けられているスイッチ（図示せず）を介して、表示部１７０への電力の供給を行う。
【００４０】
ここで、表示回路部１４０においてセンサ１４３を設ける位置については、表示部１７０が頭部装着部１１０と対向する位置にある場合に、その表示部１７０と、後述する支持部１５０の回動軸との間に配置することが望ましい。このような位置にセンサ１４３を配置することで、表示部１７０が頭部装着部１１１と対向する位置を挟んで相互にほぼ対称となる位置において、表示部１７０への電力の供給を停止することができるようになる。
【００４１】
なお、表示部１７０への電力の供給を停止する磁力の閾値については、表示部１７０をユーザの頭頂部の方向に回動させた際に、ユーザの視野から外れる位置において表示部１７０への電力の供給が停止されるように適宜選択することが望ましい。
【００４２】
本実施形態においては、連結部１２０に支持部１５０が回動自在に連結されている。例えば、図３に示されているように、支持部１５０には円柱状の軸部材１５１が設けられており、その軸部材１５１を連結部１２０に設けられている円柱状の貫通孔１２６に挿入することで、回動自在に連結している。
【００４３】
なお、軸部材１５１の先端には、連結部１２０の内部においてフランジ１５２を設けることにより、支持部１５０が連結部１２０から外れないようにされている。
【００４４】
ここで、貫通孔１２６と軸部材１５１との間に所定のフリクショントルクが発生するように、貫通孔１２６の内径と軸部材１５１の外径とを適宜設計することが望ましい。また、貫通孔１２６と軸部材１５１との間に所定のフリクショントルクが発生するように、これらの間に摩擦部材を挟み込むことも可能である。
【００４５】
支持部１５０には、アーム部１６０の一端が回動自在に連結されており、アーム部１６０の他端には、表示部１７０が連結されている。
【００４６】
アーム部１６０の一端は、軸部材１５３を介して、支持部１５０に連結されており、この軸部材１５３の軸線の周方向にアーム部１６０を回動させることができるようにされている。
【００４７】
なお、支持部１５０と連結部１２０とを回動自在に連結する軸部材１５１の軸線と、支持部１５０とアーム部１６０とを回動自在に連結する軸部材１５３の軸線と、がほぼ垂直となるようにすることで、表示部１７０の位置を上下方向及び左右方向に自由に変えることができるようになる。
【００４８】
アーム部１６０は、頭部装着部１１１をユーザの頭部に装着した際に、アーム部１６０の先端に取り付けられている表示部１７０が、ユーザの眼前に位置するように、その長手方向において湾曲している。
【００４９】
なお、図２に示されているように、アーム部１６０には、電源回路１４２から表示デバイス１７１に電力を供給するための電力線Ｐ３と、表示処理部１４１から表示デバイス１７１に画像信号を供給するための画像信号線Ｉ３と、表示部１７０に設けられているセンサ１７３からの検出信号を表示処理部１４１に供給するための制御信号線Ｃ３が設けられている。
【００５０】
また、アーム部１６０には、磁石１６１が設けられている。この磁石１６１を設ける位置については、表示部１７０を頭部装着部１１１と対向する位置に回動させた際に、この磁石１６１が表示回路部１４０に設けられているセンサ１４３と対向するような位置、すなわち、アーム部１６０を支持部１５０と連結部１２０との間で回動させた際に、磁石１６１の回動する軌道上にセンサ１４３が位置するようにするのが望ましい。
【００５１】
表示部１７０は、アーム部１６０の先端に連結されている。表示部１７０は、図２に示されているように、表示処理部１４１から供給される画像信号に基づいて画像を表示する表示デバイス１７１と、表示デバイス１７１で表示された画像の放射方向を変える光学系１７２と、表示部１７０の上下方向を検出するセンサ１７３と、を有している。
【００５２】
センサ１７３は、表示部１７０の上下の方向を検出することができるものであればどのようなものであってもよいが、本実施形態では重力センサを使用している。
【００５３】
センサ１７３で検出された検出信号は表示回路部１４０の表示処理部１４１に送られ、表示処理部１４１からコントローラ１９０の制御部１９７に送られる。
【００５４】
コントローラ１９０は、ヘッドホン１１０とケーブル１９１を介して接続されており、ヘッドマウントディスプレイ装置１００全体の制御を行う。
【００５５】
本実施形態におけるコントローラ１９０は、図２に示されているように、外部からの画像信号を受信する画像信号受信端１９２と、外部からの音声信号を受信する音声信号受信端１９３と、ユーザが所定の指示を入力するための操作部１９４と、画像信号や音声信号を記憶しておく記憶部１９５と、音声信号を増幅するアンプ１９６と、操作部１９４を介して入力された指示に従って各部に送る制御信号を生成する制御部１９７と、主電源回路１９８と、を備える。
【００５６】
なお、図１のように表示部１７０とスピーカ１１２Ａ、１１２Ｂを配置した場合には、表示部１７０をユーザの左目の眼前に配し、スピーカ１１２Ａが左耳にあてがわれ、スピーカ１１２Ｂが右耳にあてがわれるようになるが、例えば、表示部１７０をアーム部１６０とともに支持部１５０においてほぼ１８０度回動させることで、表示部１７０をユーザの右目の眼前に配し、スピーカ１１２Ａが右耳にあてがわれ、スピーカ１１２Ｂが左耳にあてがわれるようにすることも可能である。
【００５７】
このような場合には、表示部１７０に表示する画像の上下と、スピーカ１１２Ａ、１１２Ｂに送る音声信号の左右と、を反転させる必要があるが、本実施形態においては、このような反転指示を制御部１９７で行うようにしている。
【００５８】
すなわち、表示部１７０に設けられているセンサ１７３から得られる信号を受けて、制御部１９７は、表示部１７０の上下方向を特定し、この上下方向に対応させて、表示部１７０に送る画像信号を制御する。また、この表示部１７０に送る画像信号の上下方向に連動させて、スピーカ１１２Ａ、１１２Ｂに送る音声信号の左右についても制御を行う。
【００５９】
以上のように本実施形態に係るヘッドマウントディスプレイ装置１００を構成したので、例えば、図１に示されているように、音声と画像とを視聴する際には、ヘッドホン１１０にディスプレイ装置１８０を取り付けた状態で、ユーザの頭部にヘッドマウントディスプレイ装置１００を装着する。
【００６０】
一方、図４に示されているように、画像を見ないで、音声だけを聴くような場合には、ヘッドホン１１０からディスプレイ装置１８０を外して、ヘッドホン１１０だけをユーザの頭部に装着する。
【００６１】
このように、本実施形態では、画像を見ない場合には、ヘッドホン１１０からディスプレイ装置１８０を外すことができるため、画像を見ないで音声だけを聴くような場合に便利である。
【００６２】
図５は、本発明の第二の実施形態であるヘッドマウントディスプレイ装置２００の斜視図である。
【００６３】
第一の実施形態においては、コントローラ１９０からケーブル１９１を介して供給される電力、画像信号、制御信号及び音声信号をヘッドホン１１０のコネクタ１１７で受け、これらのうち電力、画像信号及び制御信号を第一の電気接続部１１３及び第二の電気接続部１３０を介して表示回路部１４０に供給していた。
【００６４】
これに対して、本実施形態では、図６（ヘッドホン２１０、ディスプレイ装置２８０及びコントローラ２９０の概略図）に示されているように、コントローラ２９０から音声信号を送る音声信号線Ｓ１を備える第一のケーブル２９１Ａと、コントローラ２９０から電力を送る電力線Ｐ１、画像信号を送る画像信号線Ｉ１及び制御信号を送る制御信号線Ｃ１を備える第二のケーブル２９１Ｂと、を備えており、これらのケーブル２９１Ａ、２９１Ｂを介してヘッドホン２１０には音声信号を、ディスプレイ装置２８０には電力、画像信号及び制御信号を、それぞれ送るようにしているため、ヘッドホン２１０とディスプレイ装置２８０との間の電気的な接続は行われていない。
【００６５】
なお、ヘッドホン２１０には、第一のケーブル２９１Ａを接続するための第一のコネクタ２１７が設けられており、ディスプレイ装置２８０には、第二のケーブル２９１Ｂを接続するための第二のコネクタ２３１が設けられている。
【００６６】
また、第二のケーブル２９１Ｂについては、コントローラ２９０から着脱自在にされていることが望ましい。
【００６７】
なお、本実施形態においては、コントローラ２９０から第一のケーブル２９１Ａと第二のケーブル２９１Ｂとが延びており、ヘッドホン２１０及びディスプレイ装置２８０のそれぞれに必要な信号・電力を送っている以外は、第一の実施形態と同様に構成されている。
【００６８】
以上のように、本実施形態であるヘッドマントディスプレイ装置２００を構成したので、ヘッドホン２１０からディスプレイ装置２８０を外し、ディスプレイ装置２８０に接続されている第二のケーブル２９１Ｂを外すことにより、ヘッドホン２１０とディスプレイ装置２８０とを容易に分離させることができる。
【００６９】
また、本実施形態では、ヘッドホン２１０とディスプレイ装置２８０のそれぞれに供給する信号・電力をそれぞれに接続するケーブル２９１Ａ、２９１Ｂを介して供給しているため、ヘッドホン２１０とディスプレイ装置２８０との間の電気的な接続部を設けないで済む。
【００７０】
図７は、本発明の第三の実施形態であるヘッドマウントディスプレイ装置３００の斜視図である。
【００７１】
本実施形態に係るヘッドマウントディスプレイ装置３００のヘッドホン３１０には、長手方向に並べて配置された第一の部材１１１Ａ及び第二の部材１１１Ｂの間に、収納部３１９が設けられている。
【００７２】
収納部３１９は、頭部装着部１１１と表示部１７０とが対向する位置にある場合に、アーム部１６０と支持部１５０とを回動自在に連結している軸部材１５３においてアーム部１６０を回動させて表示部１７０を頭部装着部１１１の方向に変位させた場合に、表示部１７０が移動する軌道と重なるような位置に設けられている。
【００７３】
そして、収納部３１９は、底面３１９ａと、底面３１９ａの周縁から延びる四つの側面３１９ｂ、３１９ｃ、３１９ｄ、３１９ｅと、により形成されており、これらの底面３１９ａ及び側面３１９ｂ、３１９ｃ、３１９ｄ、３１９ｅにより囲まれる空間内に表示部１７０を収納することができるようにしている。
【００７４】
また、これらの底面３１９ａ及び側面３１９ｂ、３１９ｃ、３１９ｄ、３１９ｅにより囲まれる空間の大きさ、形状については、この空間内に表示部１７０を収納することができる範囲で適宜設計すればよい。
【００７５】
ここで、これらの底面３１９ａ及び側面３１９ｂ、３１９ｃ、３１９ｄ、３１９ｅにより囲まれる空間内に表示部１７０を収納する向きについては、底面３１９ａに表示部１７０の画像を表示する面が対向するようにすることが望ましい。
【００７６】
また、四つの側面３１９ｂ、３１９ｃ、３１９ｄ、３１９ｅのうち、アーム部１６０が連結された支持部１５０が接続されるスピーカ１１２Ａに隣接した位置にある側面３１９ｃには、側面３１９ｃの上端に向かって開口する凹部３１９ｆが形成されている。
【００７７】
ここで、凹部３１９ｆは、その内部の空間にアーム部１６０を嵌め込むことができる大きさ、形状を備える。すなわち、凹部３１９ｆの幅を、アーム部１６０の幅とほぼ同じになるように形成することで、この凹部３１９ｆにアーム部１６０を嵌め込んだ際に、凹部３１９ｆの内面とアーム部１６０の外面とが接触し、これらの間の摩擦力でこの凹部３１９ｆにアーム部１６０を固定的に保持することができるようにされている。
【００７８】
このように、アーム部１６０の幅と凹部３１９ｆの幅とをほぼ同じとなるように形成し、これらの間に摩擦が生ずるようにすることで、凹部３１９ｆに嵌め込まれたアーム部１６０が容易に外れてしまうこと、すなわち、表示部１７０が収納部３１９から容易に外れてしまうことを防止している。
【００７９】
なお、本実施形態に係るヘッドマウントディスプレイ装置３００は、第一の部材１１１Ａ及び第二の部材１１１Ｂの間に、収納部３１９が設けられている他は、第一の実施形態と同様に形成されている。
【００８０】
このように、本実施形態に係るヘッドマウントディスプレイ装置３００は、表示部１７０を収納部３１９の内部に収納することができるため、ヘッドマウントディスプレイ装置３００を持ち運ぶ際に、表示部１７０が傷ついたり、破損したりしてしまうことを防止でき、また、頭部装着部１１１を形成する第一の部材１１１Ａと第二の部材１１１Ｂとの間に収納部３１９を配置しているため、省スペースで持ち運びに便利となる。
【００８１】
図８は、本発明の第四の実施形態であるヘッドマウントディスプレイ装置４００の使用例を示す斜視図であり、第一の実施形態の図４に対応した図である。
【００８２】
本実施形態では、図９（第一の実施形態の図３に対応した本実施形態の縦断面図）と図１０（ヘッドホン４１０、ディスプレイ装置４８０及びコントローラ４９０の概略図）に示されているように、コントローラ４９０からケーブル４９１を介して供給される電力を送る電力線Ｐ１、画像信号を送る画像信号線Ｉ１、制御信号を送る制御信号線Ｃ１及び音声信号を送る音声信号線Ｓ１を備えており、このケーブル４９１を介して、ディスプレイ装置４８０に電力、画像信号、制御信号及び音声信号を送り、さらに、これらのうち、音声信号を第一の電気接続部４３０及び第二の電気接続部４１３を介してヘッドホン４１０に供給している。
【００８３】
第一の電気接続部４３０及び第二の電気接続部４１３は、第一の実施形態の第一の電気接続部１１３及び第二の電気接続部１３０と同様の構成をしているが、本実施形態では、音声信号のみが送信されている。
【００８４】
なお、ディスプレイ装置４８０には、ケーブル４９１を接続するためのコネクタ４１７が設けられている。
【００８５】
また、本実施形態においては、コントローラ４９０から延びているケーブル４９１がディスプレイ装置４８０に接続されており、音声信号が、ディスプレイ装置４８０とヘッドホン４１０との間に設けられている、第一の電気接続部４３０及び第二の電気接続部４１３を介してヘッドホン４１０に供給されている以外は、第一の実施形態と同様に構成されている。
【００８６】
なお、図８では、向かって右側のスピーカ４１２Ａの筐体のみにディスプレイ装置４８０が接続する構成となっているが、向かって左側のスピーカ４１２Ｂの筐体にも、向かって右側のスピーカ４１２Ａの筐体と同様のディスプレイ装置４８０との接続機構を設けることが好ましい。この構成では、ディスプレイ装置４８０を向かって右側のスピーカ４１２Ａから外して、向かって左側のスピーカ４１２Ｂの筐体に接続し、アーム部１６０を１８０度回動させることで、表示部１７０をユーザの右目の眼前に配することができる。このように、本実施形態では、ヘッドホン４１０を頭から外さないでディスプレイ装置４８０を接続するスピーカを変えるだけで、ディスプレイ装置４８０の配する位置をユーザの左目の眼前と右目の眼前とで切り替えることが可能となり、第一の実施形態で行っていた音声信号の左右の制御が不要となる。
【００８７】
以上に記載した各実施形態は、いずれもユーザの頭頂部に頭部装着帯を回すヘッドアーム式となっているが、このような態様に限定されず、例えば、ユーザの後頭部に頭部装着帯を回すリアアーム式のものにすることも可能である。
【００８８】
また、以上に記載した実施形態では、支持部とアーム部とを回動自在に連結しているが、このような態様に限定されず、例えば、これらを固定的に接続することも可能であるし、また、支持部に設けた貫通孔に沿ってアーム部が摺動自在にすることも可能である。
【００８９】
さらに、第三の実施形態では、箱状の収納部に表示部を収納するようにしているが、このような態様に限定されず、例えば、頭部装着部に表示部を二方向から挟み込むことができる壁面を設けてもよいし、頭部装着部、スピーカ又は表示回路部にアーム部を挟み込むことで固定的に保持することができる挟込部を設けてもよい。
【図面の簡単な説明】
【００９０】
【図１】第一の実施形態であるヘッドマウントディスプレイ装置１００の斜視図。
【図２】ヘッドホン１１０、ディスプレイ装置１８０及びコントローラ１９０の概略図。
【図３】図１のＸ−Ｘ’線における縦断面図。
【図４】ヘッドマウントディスプレイ装置１００の使用例を表す斜視図。
【図５】第二の実施形態であるヘッドマウントディスプレイ装置２００の斜視図。
【図６】ヘッドホン２１０、ディスプレイ装置２８０及びコントローラ２９０の概略図。
【図７】第三の実施形態であるヘッドマウントディスプレイ装置３００の斜視図。
【図８】第四の実施形態であるヘッドマウントディスプレイ装置４００の使用例を示す斜視図。
【図９】第一の実施形態の図３に対応する第四の実施形態の図。
【図１０】ヘッドホン４１０、ディスプレイ装置４８０及びコントローラ４９０の概略図。
【符号の説明】
【００９１】
１００、２００、３００、４００：ヘッドマウントディスプレイ装置、１１０、２１０、３１０、４１０：ヘッドホン、１１１：頭部装着部、１１２：スピーカ、３１９：収納部、１２０：連結部、１４０：表示部、１５０：支持部、１６０：アーム部、１７０：表示部、１８０、２８０、４８０：ディスプレイ装置、１９０、２９０、４９０：コントローラ
【図１】
2007266870.tif 000003
【図２】
2007266870.tif 000004
【図３】
2007266870.tif 000005
【図４】
2007266870.tif 000006
【図５】
2007266870.tif 000007
【図６】
2007266870.tif 000008
【図７】
2007266870.tif 000009
【図８】
2007266870.tif 000010
【図９】
2007266870.tif 000011
【図１０】
2007266870.tif 000012